(57)【要約】【課題】複数のオブジェクトを所定方向に並べた特定画面を表示する時間を短縮する。【解決手段】タブレット端末装置１００は、ディスプレー１１及び制御部２を備える。制御部２は、読出部２３、決定部２２、及び表示部２４を備える。ディスプレー１１は、矩形状に形成され、表示領域ＤＡを有する。表示領域ＤＡの所定方向Ｄ１の長さは、特定画面ＳＣの所定方向Ｄ１の長さより短い。読出部２３は、別の画面から特定画面ＳＣに遷移した時に、複数のオブジェクトＢＪを第２記憶部２０１から読み出す。決定部２２は、特定画面ＳＣに遷移した時に、表示領域ＤＡに表示される表示範囲ＡＲを決定する。表示部２４は、読み出したオブジェクトＢＪをディスプレー１１に表示する。複数のオブジェクトＢＪは、表示範囲ＡＲに含まれる第１オブジェクトＢＪ１を含む。読出部２３は、第１オブジェクトＢＪ１を、他のオブジェクトＢＪよりも優先して読み出す。【選択図】図３
2018159804.tif 000002
【特許請求の範囲】
【請求項１】
複数のオブジェクトを所定方向に並べた特定画面を表示する表示制御装置であって、
矩形状に形成され、表示領域を有するディスプレーと、
前記特定画面以外の画面から前記特定画面に遷移した時に、前記複数のオブジェクトを記憶部から読み出す読出部と、
前記特定画面以外の画面から前記特定画面に遷移した時に、前記特定画面のうち、前記表示領域に表示される表示範囲を決定する決定部と、
前記読出部が読み出したオブジェクトを前記ディスプレーに前記所定方向の後端側から先端側に向かって並べて表示する表示部と
を備え、
前記所定方向は、前記ディスプレーの周辺のうち、一辺に平行な方向を示し、
前記表示領域の前記所定方向の長さは、前記特定画面の前記所定方向の長さよりも短く、
前記複数のオブジェクトは、前記表示範囲に含まれる第１オブジェクトと、前記第１オブジェクトに対して前記先端側に並ぶ第２オブジェクトと、前記第１オブジェクトに対して前記後端側に並ぶ第３オブジェクトとを含み、
前記読出部は、前記第１オブジェクトを前記第２オブジェクト及び前記第３オブジェクトよりも優先して前記記憶部から読み出す、表示制御装置。
【請求項２】
前記読出部は、前記複数のオブジェクトのうち、前記第１オブジェクトを前記第２オブジェクト及び前記第３オブジェクトよりも先に前記記憶部から読み出す、請求項１に記載の表示制御装置。
【請求項３】
前記読出部は、前記複数のオブジェクトのうち、前記第１オブジェクトに続いて前記第２オブジェクトを前記第１オブジェクトに近接する側から順に前記記憶部から読み出す、請求項２に記載の表示制御装置。
【請求項４】
前記読出部は、前記複数のオブジェクトのうち、前記第２オブジェクトに続いて前記第３オブジェクトを前記第１オブジェクトに近接する側から順に前記記憶部から読み出す、請求項３に記載の表示制御装置。
【請求項５】
前記読出部は、前記複数のオブジェクトのうち、前記第２オブジェクトに続いて前記第３オブジェクトを前記後端側から順に前記記憶部から読み出す、請求項３に記載の表示制御装置。
【請求項６】
前記読出部は、前記複数のオブジェクトのうち、前記第１オブジェクトに続いて前記第２オブジェクトと前記第３オブジェクトとを交互に、且つ、前記第１オブジェクトに近接する側から順に前記記憶部から読み出す、請求項２に記載の表示制御装置。
【請求項７】
前記読出部は、前記第２オブジェクトを２個以上の第１個数ずつ連続して読出し、前記第３オブジェクトを前記第１個数より少ない第２個数ずつ連続して読み出す、請求項６に記載の表示制御装置。
【請求項８】
前記読出部は、前記複数のオブジェクトのうち、第４オブジェクトと前記第３オブジェクトとを交互に、且つ、前記表示領域の後端部に近接する側から順に前記記憶部から読み出し、
前記第４オブジェクトは、前記第１オブジェクトと前記第２オブジェクトとから構成される、請求項１に記載の表示制御装置。
【請求項９】
前記読出部は、前記第４オブジェクトを２個以上の第１個数ずつ連続して読み出し、前記第３オブジェクトを前記第１個数より少ない第２個数ずつ連続して読み出す、請求項８に記載の表示制御装置。
【請求項１０】
前記記憶部は、前記表示制御装置とネットワークを介して通信可能に接続された前記表示制御装置とは別の装置に配置される、請求項１から請求項９のいずれか１項に記載の表示制御装置。
【請求項１１】
複数のオブジェクトを所定方向に並べた特定画面をディスプレーに表示する表示制御方法であって、
前記ディスプレーは、矩形状に形成され、表示領域を有し、
前記特定画面以外の画面から前記特定画面に遷移した時に、前記複数のオブジェクトを記憶部から読み出す読出ステップと、
前記特定画面以外の画面から前記特定画面に遷移した時に、前記特定画面のうち、前記表示領域に表示される表示範囲を決定する決定ステップと、
前記読出ステップで読み出したオブジェクトを前記ディスプレーに前記所定方向の後端側から先端側に向かって並べて表示する表示ステップと
を含み、
前記表示領域の前記所定方向の長さは、前記特定画面の前記所定方向の長さよりも短く、
前記所定方向は、前記ディスプレーの周辺のうち、一辺に平行な方向を示し、
前記複数のオブジェクトは、前記表示範囲に含まれる第１オブジェクトと、前記第１オブジェクトに対して前記先端側に並ぶ第２オブジェクトと、前記第１オブジェクトに対して前記後端側に並ぶ第３オブジェクトとを含み、
前記読出ステップでは、前記第１オブジェクトを、前記第２オブジェクト及び前記第３オブジェクトよりも優先して前記記憶部から読み出す、表示制御方法。
【請求項１２】
複数のオブジェクトを所定方向に並べた特定画面を表示する表示制御ユニットと、
記録媒体に画像を形成する画像形成部と
を備え、
前記表示制御ユニットは、
矩形状に形成され、表示領域を有するディスプレーと、
前記特定画面以外の画面から前記特定画面に遷移した時に、前記複数のオブジェクトを記憶部から読み出す読出部と、
前記特定画面以外の画面から前記特定画面に遷移した時に、前記特定画面のうち、前記表示領域に表示される表示範囲を決定する決定部と、
前記読出部が読み出したオブジェクトを前記ディスプレーに前記所定方向の後端側から先端側に向かって並べて表示する表示部と
を備え、
前記所定方向は、前記ディスプレーの周辺のうち、一辺に平行な方向を示し、
前記表示領域の前記所定方向の長さは、前記特定画面の前記所定方向の長さよりも短く、
前記複数のオブジェクトは、前記表示範囲に含まれる第１オブジェクトと、前記第１オブジェクトに対して前記先端側に並ぶ第２オブジェクトと、前記第１オブジェクトに対して前記後端側に並ぶ第３オブジェクトとを含み、
前記読出部は、前記第１オブジェクトを、前記第２オブジェクト及び前記第３オブジェクトよりも優先して前記記憶部から読み出す、画像形成装置。
【発明の詳細な説明】
【技術分野】
【０００１】
本発明は、ディスプレーを備える表示制御装置、表示制御方法、及び画像形成装置に関する。
【背景技術】
【０００２】
特許文献１に記載のウェブ端末装置は、ウェブページを示す情報をダウンロードする時に、データ量の小さな代理コンテンツをダウンロードしてウェブページ上に表示する。ウェブページは、ウェブ端末装置に画面として表示される。ウェブ端末装置は、続いて、データ量の大きな実コンテンツのダウンロードを開始する。
【先行技術文献】
【特許文献】
【０００３】
【特許文献１】特開２００４−１５１９８５号公報
【発明の概要】
【発明が解決しようとする課題】
【０００４】
しかしながら、特許文献１に記載のウェブ端末装置では、複数のオブジェクトを所定方向に並べた特定画面を表示する場合には、オブジェクトの個数が多い程、特定画面に含まれるオブジェクトをディスプレーに表示する時間が長くなる可能性がある。
【０００５】
例えば、特定画面以外の画面から特定画面に遷移した時には、オブジェクトを特定画面における所定方向の後端から順番に読み出す。したがって、ディスプレーの表示領域に含まれるオブジェクトが特定画面における所定方向の先端に近い程、ディスプレーの表示領域に含まれるオブジェクトを読み出すまでに要する時間が長くなる可能性がある。その結果、特定画面に含まれるオブジェクトをディスプレーに表示するまでに要する時間が長くなる可能性がある。
【０００６】
本発明は、上記課題に鑑みてなされたものであり、複数のオブジェクトを所定方向に並べた特定画面をディスプレーに表示する時間を短縮することが可能な表示制御装置、表示制御方法、及び画像形成装置を提供することを目的としている。
【課題を解決するための手段】
【０００７】
本発明に係る表示制御装置は、複数のオブジェクトを所定方向に並べた特定画面を表示する。前記表示制御装置は、ディスプレー、読出部、決定部、及び表示部を備える。前記ディスプレーは、矩形状に形成され、表示領域を有する。前記所定方向は、前記ディスプレーの周辺のうち、一辺に平行な方向を示す。前記表示領域の前記所定方向の長さは、前記特定画面の前記所定方向の長さよりも短い。前記読出部は、前記特定画面以外の画面から前記特定画面に遷移した時に、前記複数のオブジェクトを記憶部から読み出す。前記決定部は、前記特定画面以外の画面から前記特定画面に遷移した時に、前記特定画面のうち、前記表示領域に表示される表示範囲を決定する。前記表示部は、前記読出部が読み出したオブジェクトを前記ディスプレーに前記所定方向の後端側から先端側に向かって並べて表示する。前記複数のオブジェクトは、第１オブジェクトと、第２オブジェクトと、第３オブジェクトとを含む。前記第１オブジェクトは、前記表示範囲に含まれる。前記第２オブジェクトは、前記第１オブジェクトに対して前記先端側に並ぶ。前記第３オブジェクトは、前記第１オブジェクトに対して前記後端側に並ぶ。前記読出部は、前記第１オブジェクトを、前記第２オブジェクト及び前記第３オブジェクトよりも優先して前記記憶部から読み出す。
【０００８】
本発明に係る表示制御方法は、複数のオブジェクトを所定方向に並べた特定画面をディスプレーに表示する表示制御方法である。前記ディスプレーは、矩形状に形成され、表示領域を有する。前記所定方向は、前記ディスプレーの周辺のうち、一辺に平行な方向を示す。前記表示領域の前記所定方向の長さは、前記特定画面の前記所定方向の長さよりも短い。前記表示制御方法は、読出ステップと、読出ステップと、決定ステップと、表示ステップとを含む。前記読出ステップでは、前記特定画面以外の画面から前記特定画面に遷移した時に、前記複数のオブジェクトを記憶部から読み出す。前記決定ステップでは、前記特定画面以外の画面から前記特定画面に遷移した時に、前記特定画面のうち、前記表示領域に表示される表示範囲を決定する。前記表示ステップでは、前記読出ステップで読み出したオブジェクトを前記ディスプレーに前記所定方向の後端側から先端側に向かって並べて表示する。前記複数のオブジェクトは、前記複数のオブジェクトは、第１オブジェクトと、第２オブジェクトと、第３オブジェクトとを含む。前記第１オブジェクトは、前記表示範囲に含まれる。前記第２オブジェクトは、前記第１オブジェクトに対して前記先端側に並ぶ。前記第３オブジェクトは、前記第１オブジェクトに対して前記後端側に並ぶ。前記読出ステップでは、前記第１オブジェクトを、前記第２オブジェクト及び前記第３オブジェクトよりも優先して前記記憶部から読み出す。
【０００９】
本発明に係る画像形成装置は、表示制御ユニット、及び画像形成部を備える。前記表示制御ユニットは、複数のオブジェクトを所定方向に並べた特定画面を表示する。前記画像形成部は、記録媒体に画像を形成する。前記表示制御ユニットは、ディスプレー、読出部、決定部、及び表示部を備える。前記ディスプレーは、矩形状に形成され、表示領域を有する。前記所定方向は、前記ディスプレーの周辺のうち、一辺に平行な方向を示す。前記表示領域の前記所定方向の長さは、前記特定画面の前記所定方向の長さよりも短い。前記読出部は、前記特定画面以外の画面から前記特定画面に遷移した時に、前記複数のオブジェクトを記憶部から読み出す。前記決定部は、前記特定画面以外の画面から前記特定画面に遷移した時に、前記特定画面のうち、前記表示領域に表示される表示範囲を決定する。前記表示部は、前記読出部が読み出したオブジェクトを前記ディスプレーに前記所定方向の後端側から先端側に向かって並べて表示する。前記複数のオブジェクトは、前記複数のオブジェクトは、第１オブジェクトと、第２オブジェクトと、第３オブジェクトとを含む。前記第１オブジェクトは、前記表示範囲に含まれる。前記第２オブジェクトは、前記第１オブジェクトに対して前記先端側に並ぶ。前記第３オブジェクトは、前記第１オブジェクトに対して前記後端側に並ぶ。前記読出部は、前記第１オブジェクトを、前記第２オブジェクト及び前記第３オブジェクトよりも優先して前記記憶部から読み出す。
【発明の効果】
【００１０】
本発明の表示制御装置、表示制御方法、及び画像形成装置によれば、複数のオブジェクトを所定方向に並べた特定画面をディスプレーに表示する時間を短縮できる。
【図面の簡単な説明】
【００１１】
【図１】本発明に係るタブレット端末装置の構成と接続状態との一例を示す図である。
【図２】特定画面の一例を示す図である。
【図３】制御部の構成の一例を示す図である。
【図４】第１実施形態に係る制御部の処理の一例を示す図である。
【図５】第１実施形態に係る制御部の処理の一例を示すフローチャートである。
【図６】第２実施形態に係る制御部の処理の一例を示す図である。
【図７】第２実施形態に係る制御部の処理の一例を示すフローチャートである。
【図８】第３実施形態に係る制御部の処理の一例を示す図である。
【図９】第３実施形態に係る制御部の処理の一例を示すフローチャートである。
【図１０】第３実施形態に係る制御部の処理の一例を示すフローチャートである。
【図１１】第４実施形態に係る制御部の処理の一例を示す図である。
【図１２】第４実施形態に係る制御部の処理の一例を示すフローチャートである。
【図１３】第４実施形態に係る制御部の処理の一例を示すフローチャートである。
【図１４】本発明に係る画像形成装置の構成の一例を示す図である。
【発明を実施するための形態】
【００１２】
以下、本発明の実施形態について、図面（図１〜図１４）を参照しながら説明する。なお、図中、同一又は相当部分については同一の参照符号を付して説明を繰り返さない。
【００１３】
＜第１実施形態〜第４実施形態に共通の構成＞
まず、図１〜図３を参照して本発明の第１実施形態〜第４実施形態に共通の構成について説明する。図１は、本発明に係るタブレット端末装置１００の構成と接続状態との一例を示す図である。
【００１４】
図１に示すように、タブレット端末装置１００はタッチパネル１、制御部２及び通信部３を備える。タブレット端末装置１００は、「表示制御装置」の一例に相当する。タッチパネル１は画像を表示すると共に、ユーザーからの操作を受け付ける。制御部２はタッチパネル１の動作を制御する。通信部３は、ネットワーク３００を介して、サーバー装置２００と通信する。
【００１５】
タッチパネル１は、ディスプレー１１、及びタッチセンサー１２を備える。ディスプレー１１は画像を表示する。タッチセンサー１２はタッチパネル１への物体の接触位置を検出する。タッチセンサー１２は、例えばディスプレー１１の表示面上に配置される。
【００１６】
制御部２は、プロセッサー２Ａ及び第１記憶部２Ｂを備える。プロセッサー２Ａは、例えばＣＰＵ（Ｃｅｎｔｒａｌ  Ｐｒｏｃｅｓｓｉｎｇ  Ｕｎｉｔ）を備える。第１記憶部２Ｂは、半導体メモリーのようなメモリーを備え、ＨＤＤ（Ｈａｒｄ  Ｄｉｓｋ  Ｄｒｉｖｅ）を備えてもよい。第１記憶部２Ｂは、制御プログラムを記憶している。
【００１７】
サーバー装置２００は、第２記憶部２０１を備える。第２記憶部２０１は、複数のオブジェクトを示す情報を記憶している。サーバー装置２００は、いわゆる、「データサーバー装置」の一例である。
【００１８】
ネットワーク３００は、例えばインターネットである。ただし、ネットワーク３００は、インターネットに限定されない。ネットワーク３００が、例えばＬＡＮ（Ｌｏｃａｌ  Ａｒｅａ  Ｎｅｔｗｏｒｋ）である形態でもよいし、ネットワーク３００が、例えばＷＡＮ（Ｗｉｄｅ  Ａｒｅａ  Ｎｅｔｗｏｒｋ）である形態でもよい。
【００１９】
次に、図１〜図３を参照して、制御部２の構成、及び特定画面ＳＣについて説明する。図２は、特定画面ＳＣの一例を示す図である。図３は、制御部２の構成の一例を示す図である。
【００２０】
図２に示すように、特定画面ＳＣは、複数のオブジェクトＢＪを所定方向Ｄ１に並べた画面を示す。ディスプレー１１は、矩形状に形成され、表示領域ＤＡを有する。表示領域ＤＡは、所定方向Ｄ１の長さが特定画面ＳＣよりも短い。
【００２１】
複数のオブジェクトＢＪは、第１オブジェクトＢＪ１と、第２オブジェクトＢＪ２と、第３オブジェクトＢＪ３とを含む。第１オブジェクトＢＪ１は、表示範囲ＡＲに含まれる。第２オブジェクトＢＪ２は、第１オブジェクトＢＪ１に対して所定方向Ｄ１の先端側に並ぶオブジェクトを示す。第３オブジェクトＢＪ３は、第１オブジェクトＢＪ１に対して所定方向Ｄ１の後端側に並ぶオブジェクトを示す。
【００２２】
具体的には、第１オブジェクトＢＪ１は、オブジェクトＢ−１、オブジェクトＢ−２、オブジェクトＢ−３、オブジェクトＢ−４及びオブジェクトＢ−５から構成される。第２オブジェクトＢＪ２は、オブジェクトＣ−１、オブジェクトＣ−２、オブジェクトＣ−３、オブジェクトＣ−４、オブジェクトＣ−５、オブジェクトＤ−１、オブジェクトＤ−２、オブジェクトＤ−３、オブジェクトＤ−４及びオブジェクトＤ−５から構成される。第３オブジェクトＢＪ３は、オブジェクトＡ−１、オブジェクトＡ−２、オブジェクトＡ−３、オブジェクトＡ−４及びオブジェクトＡ−５から構成される。
【００２３】
図３に示すように、制御部２の一部を構成するプロセッサー２Ａは、受付部２１、決定部２２、読出部２３及び表示部２４を備える。具体的には、プロセッサー２Ａは、第１記憶部２Ｂに記憶された制御プログラムを読み出して実行することによって、受付部２１、決定部２２、読出部２３及び表示部２４として機能する。
【００２４】
受付部２１は、特定画面ＳＣ以外の画面から特定画面ＳＣに遷移する旨の指示を受け付ける。特定画面ＳＣは、複数のオブジェクトＢＪを所定方向Ｄ１に並べた画面を示す。所定方向Ｄ１は、ディスプレー１１の周辺のうち、一辺（例えば、短辺）に平行な方向を示す。具体的には、受付部２１は、ユーザーによるタッチパネル１の操作に基づき、特定画面ＳＣ以外の画面から特定画面ＳＣに遷移する旨の指示を受け付ける。オブジェクトＢＪは、例えば文字列を示す。
【００２５】
決定部２２は、特定画面ＳＣ以外の画面から特定画面ＳＣに遷移した時に、特定画面ＳＣのうち、表示領域ＤＡに表示される表示範囲ＡＲを決定する。
【００２６】
具体的には、決定部２２は、特定画面ＳＣから特定画面ＳＣ以外の画面に遷移する旨の指示を受付部２１が受け付けた時に、特定画面ＳＣのうち、表示範囲ＡＲを第１記憶部２Ｂに記憶する。そして、特定画面ＳＣ以外の画面から特定画面ＳＣに遷移する旨の指示を受付部２１が受け付けた時に、決定部２２は、第１記憶部２Ｂから表示範囲ＡＲを読み出して、表示範囲ＡＲを決定する。
【００２７】
読出部２３は、特定画面ＳＣ以外の画面から特定画面ＳＣに遷移した時に、複数のオブジェクトＢＪを第２記憶部２０１から読み出す。また、読出部２３は、第１オブジェクトＢＪ１を第２オブジェクトＢＪ２及び第３オブジェクトＢＪ３よりも優先して第２記憶部２０１から読み出す。
【００２８】
表示部２４は、読出部２３が読み出したオブジェクトＢＪをディスプレー１１に所定方向Ｄ１の後端側から先端側に向かって並べて表示する。
【００２９】
以上、図１〜図３を参照して説明したように、本発明の実施形態では、特定画面ＳＣ以外の画面から特定画面ＳＣに遷移した時に、読出部２３は、第１オブジェクトＢＪ１を第２オブジェクトＢＪ２及び第３オブジェクトＢＪ３よりも優先して読み出す。第１オブジェクトＢＪ１は、ディスプレー１１の表示領域ＤＡに含まれる。したがって、特定画面ＳＣ以外の画面から特定画面ＳＣに遷移した時に、オブジェクトＢＪを特定画面ＳＣにおける所定方向Ｄ１の後端から順番に読み出す場合と比較して、特定画面ＳＣをディスプレー１１に表示する時間を短縮できる。
【００３０】
また、第２記憶部２０１は、タブレット端末装置１００とネットワーク３００を介して通信可能に接続されたサーバー装置２００に配置される。よって、オブジェクトＢＪを第２記憶部２０１から読み出す場合には、オブジェクトＢＪを第１記憶部２Ｂから読み出す場合と比較して、オブジェクトＢＪを読み出す時間が長くなる。したがって、第１オブジェクトＢＪ１を第２オブジェクトＢＪ２及び第３オブジェクトＢＪ３よりも優先して読み出すため、オブジェクトＢＪを特定画面ＳＣにおける所定方向Ｄ１の後端から順番に読み出す場合と比較して、特定画面ＳＣをディスプレー１１に表示する時間を大幅に短縮できる。
【００３１】
＜第１実施形態＞
次に、図１〜図５を参照して、第１実施形態に係る制御部２について説明する。図４は、第１実施形態に係る制御部２の処理の一例を示す図である。図４に示すように、読出部２３は、読出順ＲＮに示す順にオブジェクトＢＪを第２記憶部２０１から読み出す。
【００３２】
読出部２３は、複数のオブジェクトＢＪのうち、第１オブジェクトＢＪ１を第２オブジェクトＢＪ２及び第３オブジェクトＢＪ３よりも先に第２記憶部２０１から読み出す。
【００３３】
具体的には、読出部２３は、まず、第１オブジェクトＢＪ１を読み出し、次に、第２オブジェクトＢＪ２を読み出し、最後に第３オブジェクトＢＪ３を読み出す。
【００３４】
更に具体的には、読出部２３は、第１オブジェクトＢＪ１を所定方向Ｄ１の後端側から所定方向Ｄ１の先端側に向けて順に読み出す。また、読出部２３は、第２オブジェクトＢＪ２を所定方向Ｄ１の後端側から所定方向Ｄ１の先端側に向けて順に読み出す。換言すれば、読出部２３は、第２オブジェクトＢＪ２を第１オブジェクトＢＪ１に近接する側から順に読み出す。更に、読出部２３は、第３オブジェクトＢＪ３を所定方向Ｄ１の後端側から所定方向Ｄ１の先端側に向けて順に読み出す。
【００３５】
更に具体的には、読出部２３は、オブジェクトＢ−１を１番目に読み出し、オブジェクトＢ−２を２番目に読み出し、その後、オブジェクトＢ−５を５番目に読み出す。次に、読出部２３は、オブジェクトＣ−１を６番目に読み出し、オブジェクトＣ−２を７番目に読み出し、その後、オブジェクトＤ−５を１５番目に読み出す。更に、読出部２３は、オブジェクトＡ−１を１６番目に読み出し、オブジェクトＡ−２を１７番目に読み出し、その後、オブジェクトＡ−５を２０番目に読み出す。
【００３６】
次に、図５を参照して、第１実施形態に係る制御部２の処理について説明する。図５は、第１実施形態に係る制御部２の処理の一例を示すフローチャートである。
図５に示すように、まず、ステップＳ１０１において、受付部２１が、ユーザーによるタッチパネル１の操作を受け付ける。
次に、ステップＳ１０３において、受付部２１が、特定画面ＳＣ以外の画面から特定画面ＳＣに遷移する旨の指示を受け付けたか否かを判定する。
特定画面ＳＣ以外の画面から特定画面ＳＣに遷移する旨の指示を受け付けていないと判定した場合（ステップＳ１０３でＮＯ）には、処理が終了する。特定画面ＳＣ以外の画面から特定画面ＳＣに遷移する旨の指示を受け付けたと判定した場合（ステップＳ１０３でＹＥＳ）には、処理がステップＳ１０５に進む。
そして、ステップＳ１０５において、決定部２２が表示領域ＤＡに表示される表示範囲ＡＲを決定する。
【００３７】
次に、ステップＳ１０７において、読出部２３が第１オブジェクトＢＪ１を所定方向Ｄ１の後端側から所定方向Ｄ１の先端側に向けて順に読み出す。
次に、ステップＳ１０９において、表示部２４が特定画面ＳＣをディスプレー１１に表示する。具体的には、表示部２４は、第１オブジェクトＢＪ１をディスプレー１１に表示する。
次に、ステップＳ１１１において、読出部２３が第２オブジェクトＢＪ２を第１オブジェクトＢＪ１に近接する側から順に読み出す。
次に、ステップＳ１１３において、読出部２３が第２オブジェクトＢＪ２の読み出しを完了したか否かを判定する。
第２オブジェクトＢＪ２の読み出しを完了していないと読出部２３が判定した場合（ステップＳ１１３でＮＯ）には、処理がステップＳ１１１に戻る。第２オブジェクトＢＪ２の読み出しを完了したと読出部２３が判定した場合（ステップＳ１１３でＹＥＳ）には、処理がステップＳ１１５に進む。
【００３８】
そして、ステップＳ１１５において、読出部２３が第３オブジェクトＢＪ３を所定方向Ｄ１の後端側から所定方向Ｄ１の先端側に向けて順に読み出す。
次に、ステップＳ１１７において、読出部２３が第３オブジェクトＢＪ３の読み出しを完了したか否かを判定する。
第３オブジェクトＢＪ３の読み出しを完了していないと読出部２３が判定した場合（ステップＳ１１７でＮＯ）には、処理がステップＳ１１５に戻る。第３オブジェクトＢＪ３の読み出しを完了したと読出部２３が判定した場合（ステップＳ１１７でＹＥＳ）には、処理が終了する。
【００３９】
ステップＳ１０５が「決定ステップ」の一例に相当し、ステップＳ１０７、ステップＳ１１１及びステップＳ１１５が「読出ステップ」の一例に相当し、ステップＳ１０９が「表示ステップ」の一例に相当する。
【００４０】
以上、図１〜図５を参照して説明したように、本発明の第１実施形態では、読出部２３は、第１オブジェクトＢＪ１を第２オブジェクトＢＪ２及び第３オブジェクトＢＪ３よりも先に読み出す。したがって、特定画面ＳＣ以外の画面から特定画面ＳＣに遷移した時に、オブジェクトＢＪを特定画面ＳＣにおける所定方向Ｄ１の後端から順番に読み出す場合と比較して、特定画面ＳＣをディスプレー１１に表示する時間を確実に短縮できる。
【００４１】
また、読出部２３は、第１オブジェクトＢＪ１に続いて、第２オブジェクトＢＪ２を第１オブジェクトＢＪ１に近接する側から順に読み出す。したがって、ユーザーが特定画面ＳＣを所定方向Ｄ１の先端側にスクロールしたときに、特定画面ＳＣをディスプレー１１に表示する時間を短縮できる。
【００４２】
更に、読出部２３は、第２オブジェクトＢＪ２に続いて、第３オブジェクトＢＪ３を所定方向Ｄ１の後端側から順に読み出す。したがって、ユーザーが特定画面ＳＣの表示位置を複数のオブジェクトＢＪの所定方向Ｄ１の後端位置にジャンプしたときに、特定画面ＳＣをディスプレー１１に表示する時間を短縮できる。
【００４３】
＜第２実施形態＞
次に、図１〜図３、図６及び図７を参照して、本発明の第２実施形態に係る制御部２について説明する。図６は、第２実施形態に係る制御部２の処理の一例を示す図である。図６に示すように、読出部２３は、読出順ＲＮに示す順にオブジェクトＢＪを第２記憶部２０１から読み出す。
【００４４】
第２実施形態に係る読出部２３は、第１実施形態に係る読出部２３と比較して、第３オブジェクトＢＪ３を第１オブジェクトＢＪ１に近接する側から順に読み出す点で相違している。以下の説明においては、第１実施形態に係る制御部２と同一の構成については、その説明を省略し、第１実施形態に係る制御部２と相違する点について主に説明する。
【００４５】
読出部２３は、まず、第１オブジェクトＢＪ１を読み出し、次に、第２オブジェクトＢＪ２を読み出し、最後に第３オブジェクトＢＪ３を読み出す。
【００４６】
更に具体的には、読出部２３は、第１オブジェクトＢＪ１を所定方向Ｄ１の後端側から所定方向Ｄ１の先端側に向けて順に読み出す。また、読出部２３は、第２オブジェクトＢＪ２を所定方向Ｄ１の後端側から所定方向Ｄ１の先端側に向けて順に読み出す。換言すれば、読出部２３は、第２オブジェクトＢＪ２を第１オブジェクトＢＪ１に近接する側から順に読み出す。更に、読出部２３は、第３オブジェクトＢＪ３を第１オブジェクトＢＪ１に近接する側から順に読み出す。
【００４７】
更に具体的には、読出部２３は、オブジェクトＢ−１を１番目に読み出し、オブジェクトＢ−２を２番目に読み出し、その後、オブジェクトＢ−５を５番目に読み出す。次に、読出部２３は、オブジェクトＣ−１を６番目に読み出し、オブジェクトＣ−２を７番目に読み出し、その後、オブジェクトＤ−５を１５番目に読み出す。更に、読出部２３は、オブジェクトＡ−５を１６番目に読み出し、オブジェクトＡ−４を１７番目に読み出し、その後、オブジェクトＡ−１を２０番目に読み出す。
【００４８】
次に、図７を参照して、第２実施形態に係る制御部２の処理について説明する。図７は、第２実施形態に係る制御部２の処理の一例を示すフローチャートである。図７に示すステップＳ２０１〜ステップＳ２１３は、それぞれ図５に示すステップＳ１０１〜ステップＳ１１３と同一の処理であるため、その説明を省略する。
【００４９】
図７のステップＳ２１５において、読出部２３が第３オブジェクトＢＪ３を第１オブジェクトＢＪ１に近接する側から順に読み出す。
次に、ステップＳ２１７において、読出部２３が第３オブジェクトＢＪ３の読み出しを完了したか否かを判定する。
第３オブジェクトＢＪ３の読み出しを完了していないと読出部２３が判定した場合（ステップＳ２１７でＮＯ）には、処理がステップＳ２１５に戻る。第３オブジェクトＢＪ３の読み出しを完了したと読出部２３が判定した場合（ステップＳ２１７でＹＥＳ）には、処理が終了する。
【００５０】
ステップＳ２０５が「決定ステップ」の一例に相当し、ステップＳ２０７、ステップＳ２１１及びステップＳ２１５が「読出ステップ」の一例に相当し、ステップＳ２０９が「表示ステップ」の一例に相当する。
【００５１】
以上、図１〜図３、図６及び図７を参照して説明したように、本発明の第２実施形態では、読出部２３は、第２オブジェクトＢＪ２に続いて第３オブジェクトＢＪ３を第１オブジェクトＢＪ１に近接する側から順に読み出す。したがって、ユーザーが特定画面ＳＣを所定方向Ｄ１の後端側にスクロールしたときに、第１実施形態と比較して、特定画面ＳＣをディスプレー１１に表示する時間を短縮できる。
【００５２】
＜第３実施形態＞
次に、図１〜図３及び図８〜図１０を参照して、本発明の第３実施形態に係る制御部２について説明する。図８は、第３実施形態に係る制御部２の処理の一例を示す図である。図８に示すように、読出部２３は、読出順ＲＮに示す順にオブジェクトＢＪを第２記憶部２０１から読み出す。
【００５３】
第３実施形態に係る読出部２３は、第１実施形態に係る読出部２３と比較して、第１オブジェクトＢＪ１に続いて、第２オブジェクトＢＪ２と第３オブジェクトＢＪ３とを交互に読み出す点で相違する。以下の説明においては、第１実施形態に係る制御部２と同一の構成については、その説明を省略し、第１実施形態に係る制御部２と相違する点について主に説明する。
【００５４】
読出部２３は、第１オブジェクトＢＪ１の読み出し完了に続いて、第２オブジェクトＢＪ２と第３オブジェクトＢＪ３とを交互に読み出す。また、読出部２３は、第２オブジェクトＢＪ２と第３オブジェクトＢＪ３とを、第１オブジェクトＢＪ１に近接する側から順に読み出す。更に、読出部２３は、第２オブジェクトＢＪ２を２個以上の第１個数Ｎ１ずつ連続して読み出し、第３オブジェクトＢＪ３を第１個数Ｎ１より少ない第２個数Ｎ２ずつ連続して読み出す。例えば、第１個数Ｎ１は２個であり、第２個数Ｎ２は１個である。
【００５５】
具体的には、読出部２３は、オブジェクトＢ−１を１番目に読み出し、オブジェクトＢ−２を２番目に読み出し、その後、オブジェクトＢ−５を５番目に読み出す。次に、読出部２３は、オブジェクトＣ−１を６番目に読み出し、オブジェクトＣ−２を７番目に読み出し、オブジェクトＡ−５を８番目に読み出す。続いて、読出部２３は、オブジェクトＣ−３を９番目に読み出し、オブジェクトＣ−４を１０番目に読み出し、オブジェクトＡ−４を１１番目に読み出す。その後、オブジェクトＤ−４を１８番目に読み出し、オブジェクトＤ−５を１９番目に読み出し、オブジェクトＡ−１を２０番目に読み出す。
【００５６】
次に、図９及び図１０を参照して、第３実施形態に係る制御部２の処理について説明する。図９及び図１０は、第３実施形態に係る制御部２の処理の一例を示すフローチャートである。図９に示すステップＳ３０１〜ステップＳ３０９は、それぞれ図５に示すステップＳ１０１〜ステップＳ１０９と同一の処理であるため、その説明を省略する。
【００５７】
図１０に示すように、ステップＳ３１１において、読出部２３は、第２オブジェクトＢＪ２を第１オブジェクトＢＪ１に近接する側から順に第１個数Ｎ１だけ読み出す。
次に、ステップＳ３１３において、読出部２３が第３オブジェクトＢＪ３の読み出しが完了したか否かを判定する。
第３オブジェクトＢＪ３の読み出しが完了していないと読出部２３が判定した場合（ステップＳ３１３でＮＯ）には、処理がステップＳ３１７に進む。第３オブジェクトＢＪ３の読み出しが完了したと読出部２３が判定した場合（ステップＳ３１３でＹＥＳ）には、処理がステップＳ３１５に進む。
そして、ステップＳ３１５において、読出部２３が第２オブジェクトＢＪ２の読み出しが完了したか否かを判定する。
第２オブジェクトＢＪ２の読み出しが完了していないと読出部２３が判定した場合（ステップＳ３１５でＮＯ）には、処理がステップＳ３１１に戻る。第２オブジェクトＢＪ２の読み出しが完了したと読出部２３が判定した場合（ステップＳ３１５でＹＥＳ）には、処理が終了する。
【００５８】
ステップＳ３１３でＮＯの場合には、ステップＳ３１７において、読出部２３は、第３オブジェクトＢＪ３を第１オブジェクトＢＪ１に近接する側から順に第２個数Ｎ２だけ読み出す。
次に、ステップＳ３１９において、読出部２３が第２オブジェクトＢＪ２の読み出しが完了したか否かを判定する。
第２オブジェクトＢＪ２の読み出しが完了していないと読出部２３が判定した場合（ステップＳ３１９でＮＯ）には、処理がステップＳ３１１に戻る。第２オブジェクトＢＪ２の読み出しが完了したと読出部２３が判定した場合（ステップＳ３１９でＹＥＳ）には、処理がステップＳ３２１に進む。
そして、ステップＳ３２１において、読出部２３が第３オブジェクトＢＪ３の読み出しが完了したか否かを判定する。
第３オブジェクトＢＪ３の読み出しが完了していないと判定した場合（ステップＳ３２１でＮＯ）には、処理がステップＳ３１７に戻る。第３オブジェクトＢＪ３の読み出しが完了したと判定した場合（ステップＳ３２１でＹＥＳ）には、処理が終了する。
【００５９】
ステップＳ３０５が「決定ステップ」の一例に相当し、ステップＳ３０７、ステップＳ３１１及びステップＳ３１７が「読出ステップ」の一例に相当し、ステップＳ３０９が「表示ステップ」の一例に相当する。
【００６０】
以上、図１〜図３及び図８〜図１０を参照して説明したように、本発明の第３実施形態では、読出部２３は、第１オブジェクトＢＪ１に続いて、第２オブジェクトＢＪ２と第３オブジェクトＢＪ３とを交互に読み出す。また、読出部２３は、第２オブジェクトＢＪ２と第３オブジェクトＢＪ３とを第１オブジェクトＢＪ１に近接する側から順に読み出す。したがって、ユーザーが特定画面ＳＣを所定方向Ｄ１の先端側又は後端側にスクロールしたときに、第１実施形態と比較して、特定画面ＳＣをディスプレー１１に表示する時間を短縮できる。
【００６１】
また、読出部２３は、第２オブジェクトＢＪ２を２個以上の第１個数Ｎ１ずつ連続して読み出し、第３オブジェクトＢＪ３を第１個数Ｎ１より少ない第２個数Ｎ２ずつ連続して読み出す。したがって、ユーザーが特定画面ＳＣを所定方向Ｄ１の後端側にスクロールしたときに、第１実施形態と比較して、特定画面ＳＣをディスプレー１１に表示する時間を短縮できる。
【００６２】
以上、図１〜図３及び図８〜図１０を参照して説明したように、本発明の第３実施形態では、第１個数Ｎ１が２個であり、第２個数Ｎ２が１個であるが、本発明はこれに限定されない。第１個数Ｎ１が２個以上であり、且つ、第２個数Ｎ２が第１個数Ｎ１より少なければよい。例えば、第１個数Ｎ１が３個であり、第２個数Ｎ２が１個である形態でもよい。また、例えば、第１個数Ｎ１が３個であり、第２個数Ｎ２が２個である形態でもよい。
【００６３】
＜第４実施形態＞
次に、図１〜図３及び図１１〜図１３を参照して、本発明の第４実施形態に係る制御部２について説明する。図１１は、第４実施形態に係る制御部２の処理の一例を示す図である。図１１に示すように、読出部２３は、読出順ＲＮに示す順にオブジェクトＢＪを第２記憶部２０１から読み出す。
【００６４】
第４実施形態に係る読出部２３は、第１実施形態に係る読出部２３と比較して、読出部２３が、第４オブジェクトＢＪ４と第３オブジェクトＢＪ３とを交互に第２記憶部２０１から読み出す点で相違している。第４オブジェクトＢＪ４は、第１オブジェクトＢＪ１と第２オブジェクトＢＪ２とから構成される。
【００６５】
換言すれば、第４実施形態に係る読出部２３は、第４オブジェクトＢＪ４と第３オブジェクトＢＪ３とを交互に読み出す。また、第４実施形態に係る読出部２３は、第４オブジェクトＢＪ４を所定方向Ｄ１の後端側から順に読み出し、第３オブジェクトＢＪ３を所定方向Ｄ１の先端側から順に読み出す。
【００６６】
また、読出部２３は、第４オブジェクトＢＪ４を２個以上の第１個数Ｎ１ずつ連続して読み出し、第３オブジェクトＢＪ３を第１個数Ｎ１より少ない第２個数Ｎ２ずつ連続して読み出す。例えば、第１個数Ｎ１は２個であり、第２個数Ｎ２は１個である。
【００６７】
具体的には、読出部２３は、オブジェクトＢ−１を１番目に読み出し、オブジェクトＢ−２を２番目に読み出し、オブジェクトＡ−５を３番目に読み出す。次に、読出部２３は、オブジェクトＢ−３を４番目に読み出し、オブジェクトＢ−４を５番目に読み出し、オブジェクトＡ−４を６番目に読み出す。その後、読出部２３は、オブジェクトＣ−４を１３番目に読み出し、オブジェクトＣ−５を１４番目に読み出し、オブジェクトＡ−１を１５番目に読み出す。次に、読出部２３は、オブジェクトＤ−１を１６番目に読み出し、オブジェクトＤ−２を１７番目に読み出し、その後、オブジェクトＤ−５を２０番目に読み出す。
【００６８】
次に、図１２及び図１３を参照して、第４実施形態に係る制御部２の処理について説明する。図１２及び図１３は、第４実施形態に係る制御部２の処理の一例を示すフローチャートである。図１２に示すステップＳ４０１〜ステップＳ４０５は、それぞれ図５に示すステップＳ１０１〜ステップＳ１０５と同一の処理であるため、その説明を省略する。
【００６９】
図１３に示すステップＳ４０７において、読出部２３は第４オブジェクトＢＪ４を所定方向Ｄ１の後端側から順に第１個数Ｎ１だけ読み出す。
次に、ステップＳ４０９において、読出部２３が第１オブジェクトＢＪ１の読み出しを完了したか否かを判定する。
第１オブジェクトＢＪ１の読み出しを完了していないと読出部２３が判定した場合（ステップＳ４０９でＮＯ）には、処理がステップＳ４１３に進む。第１オブジェクトＢＪ１の読み出しを完了したと読出部２３が判定した場合（ステップＳ４０９でＹＥＳ）には、処理がステップＳ４１１に進む。
そして、ステップＳ４１１において、表示部２４が特定画面ＳＣをディスプレー１１に表示する。具体的には、表示部２４は、第１オブジェクトＢＪ１をディスプレー１１に表示する。
【００７０】
次に、ステップＳ４１３において、読出部２３が第３オブジェクトＢＪ３の読み出しが完了したか否かを判定する。
第３オブジェクトＢＪ３の読み出しが完了していないと読出部２３が判定した場合（ステップＳ４１３でＮＯ）には、処理がステップＳ４１７に進む。第３オブジェクトＢＪ３の読み出しが完了したと読出部２３が判定した場合（ステップＳ４１３でＹＥＳ）には、処理がステップＳ４１５に進む。
そして、ステップＳ４１５において、読出部２３が第４オブジェクトＢＪ４の読み出しが完了したか否かを判定する。
第４オブジェクトＢＪ４の読み出しが完了していないと読出部２３が判定した場合（ステップＳ４１５でＮＯ）には、処理がステップＳ４０７に戻る。第４オブジェクトＢＪ４の読み出しが完了したと読出部２３が判定した場合（ステップＳ４１５でＹＥＳ）には、処理が終了する。
【００７１】
ステップＳ４１３でＮＯの場合には、ステップＳ４１７において、読出部２３は第３オブジェクトＢＪ３を所定方向Ｄ１の先端側から順に第２個数Ｎ２だけ読み出す。
次に、ステップＳ４１９において、読出部２３が第４オブジェクトＢＪ４の読み出しが完了したか否かを判定する。
第４オブジェクトＢＪ４の読み出しが完了していないと読出部２３が判定した場合（ステップＳ４１９でＮＯ）には、処理がステップＳ４０７に戻る。第４オブジェクトＢＪ４の読み出しが完了したと読出部２３が判定した場合（ステップＳ４１９でＹＥＳ）には、処理がステップＳ４２１に進む。
そして、ステップＳ４２１において、読出部２３が第３オブジェクトＢＪ３の読み出しが完了したか否かを判定する。
第３オブジェクトＢＪ３の読み出しが完了していないと判定した場合（ステップＳ４２１でＮＯ）には、処理がステップＳ４１７に戻る。第３オブジェクトＢＪ３の読み出しが完了したと判定した場合（ステップＳ４２１でＹＥＳ）には、処理が終了する。
【００７２】
ステップＳ４０５が「決定ステップ」の一例に相当し、ステップＳ４０７及びステップＳ４１７が「読出ステップ」の一例に相当し、ステップＳ４１１が「表示ステップ」の一例に相当する。
【００７３】
以上、図１〜図３及び図１１〜図１３を参照して説明したように、本発明の第４実施形態では、読出部２３は、第４オブジェクトＢＪ４と第３オブジェクトＢＪ３とを交互に、且つ、表示領域ＤＡの後端部ＤＡ１に近接する側から順に読み出す。したがって、特定画面ＳＣ以外の画面から特定画面ＳＣに遷移したときに、オブジェクトＢＪを特定画面ＳＣにおける所定方向Ｄ１の後端から順番に読み出す場合と比較して、特定画面ＳＣをディスプレー１１に表示する時間を確実に短縮できる。また、ユーザーが特定画面ＳＣを所定方向Ｄ１の先端側又は後端側にスクロールしたときに、オブジェクトＢＪを特定画面ＳＣにおける所定方向Ｄ１の後端から順番に読み出す場合と比較して、特定画面ＳＣをディスプレー１１に表示する時間を短縮できる。
【００７４】
更に、読出部２３は、第４オブジェクトＢＪ４を２個以上の第１個数Ｎ１ずつ連続して読み出し、第３オブジェクトＢＪ３を第１個数Ｎ１より少ない第２個数Ｎ２ずつ連続して読み出す。したがって、ユーザーが特定画面ＳＣを所定方向Ｄ１の先端側にスクロールしたときに、オブジェクトＢＪを特定画面ＳＣにおける所定方向Ｄ１の後端から順番に読み出す場合と比較して、オブジェクトＢＪをディスプレー１１に表示する時間を短縮できる。
【００７５】
以上、図１〜図３及び図１１〜図１３を参照して説明したように、本発明の第４実施形態では、第１個数Ｎ１が２個であり、第２個数Ｎ２が１個であるが、本発明はこれに限定されない。第１個数Ｎ１が２個以上であり、且つ、第２個数Ｎ２が第１個数Ｎ１より少なければよい。例えば、第１個数Ｎ１が３個であり、第２個数Ｎ２が１個である形態でもよい。また、例えば、第１個数Ｎ１が３個であり、第２個数Ｎ２が２個である形態でもよい。
【００７６】
＜画像形成装置＞
次に、図１４を参照して、本発明に係る画像形成装置４００について説明する。図１４は、本発明に係る画像形成装置４００の構成の一例を示す図である。図１４に示すように、画像形成装置４００は複合機である。画像形成装置４００は、画像形成ユニット４、画像読取ユニット５、原稿搬送ユニット６、操作パネル７及び制御部２を備える。
【００７７】
画像形成ユニット４は、記録媒体の一例である用紙Ｐに画像を形成する。画像読取ユニット５は、原稿Ｒに形成された画像を読み取る。原稿搬送ユニット６は、原稿Ｒを画像読取ユニット５に供給する。操作パネル７は、タッチパネル１を備え、ユーザーからの操作を受け付ける。
【００７８】
また、画像形成ユニット４は、給送部４２、搬送部Ｌ、トナー供給部４３、画像形成部４４、定着部４６及び排出部４７を備える。画像形成部４４は、転写部４５を含む。
【００７９】
給送部４２は、用紙Ｐを搬送部Ｌへ供給する。搬送部Ｌは、用紙Ｐを転写部４５及び定着部４６を経由して排出部４７まで搬送する。用紙Ｐは、「記録媒体」の一例に相当する。
【００８０】
トナー供給部４３は、画像形成部４４にトナーを供給する。画像形成部４４は、用紙Ｐに画像を形成する。
【００８１】
転写部４５は、中間転写ベルト４５４を備える。画像形成部４４が、中間転写ベルト４５４上にシアン色、マゼンタ色、イエロー色、及び黒色のトナー像を転写する。複数色のトナー像が中間転写ベルト４５４上で重畳され、中間転写ベルト４５４上に画像が形成される。転写部４５は、中間転写ベルト４５４上に形成された画像を、用紙Ｐ上に転写する。その結果、用紙Ｐに画像が形成される。
【００８２】
定着部４６は、用紙Ｐを加熱及び加圧し、用紙Ｐに形成された画像を用紙Ｐに定着する。排出部４７は、用紙Ｐを画像形成装置４００の外部へ排出する。
【００８３】
タッチパネル１は、タブレット端末装置１００のタッチパネル１と略同一の構成を備える。また、制御部２はタブレット端末装置１００の制御部２と略同一の構成を備える。すなわち、制御部２は、受付部２１、決定部２２、読出部２３及び表示部２４を備える。したがって、タブレット端末装置１００と同様の効果を奏する。画像形成装置４００は、「表示制御装置」の一例に相当する。
【００８４】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８５】
（１）図１〜図１４を参照して説明したように、表示制御装置はタブレット端末装置１００又は画像形成装置４００であるが、本発明はこれに限定されない。表示制御装置がディスプレー及び制御部を備えればよい。例えば、表示制御装置が、スマートフォン、ＣＤプレイヤー、ＤＶＤプレイヤー、及び各種家電機器のような装置である形態でもよい。また、例えば、表示制御装置が、カーナビゲーション装置である形態でもよい。
【００８６】
（２）図１〜図１４を参照して説明したように、オブジェクトＢＪは文字列を示すが、本発明はこれに限定されない。オブジェクトＢＪが、ファイル名、フォルダー名、アイコン、画像、又はショートカットを示す形態でもよい。
【００８７】
（３）図１〜図１４を参照して説明したように、特定画面ＳＣが複数のオブジェクトＢＪを所定方向Ｄ１に１列に並べた画面を示すが、本発明はこれに限定されない。例えば、特定画面ＳＣが複数のオブジェクトＢＪを所定方向Ｄ１に複数列に並べた画面を示す形態でもよい。
【００８８】
（４）図１〜図１４を参照して説明したように、読出部２３が複数のオブジェクトＢＪを第２記憶部２０１から読み出すが、本発明はこれに限定されない。読出部２３が複数のオブジェクトＢＪを記憶部から読み出せばよい。例えば、読出部２３が複数のオブジェクトＢＪを第１記憶部２Ｂから読み出す形態でもよい。
【産業上の利用可能性】
【００８９】
本発明は、ディスプレーを備える表示制御装置、表示制御方法及び画像形成装置に利用可能である。
【符号の説明】
【００９０】
１００    タブレット端末装置（表示制御装置）
１    タッチパネル
２    制御部
２Ａ    プロセッサー
２Ｂ    第１記憶部
２１    受付部
２２    決定部
２３    読出部
２４    表示部
３    通信部
２００    サーバー装置
２０１    第２記憶部
４００    画像形成装置（表示制御装置）
４    画像形成ユニット
４４    画像形成部
５    画像読取ユニット
６    原稿搬送ユニット
７    操作パネル
１    タッチパネル
２    制御部
ＡＲ    表示範囲
ＢＪ    オブジェクト
ＢＪ１    第１オブジェクト
ＢＪ２    第２オブジェクト
ＢＪ３    第３オブジェクト
ＢＪ４    第４オブジェクト
Ｄ１    所定方向
ＤＡ    表示領域
ＲＮ    読出順
ＳＣ    特定画面
【図１】
2018159804.tif 000003
【図２】
2018159804.tif 000004
【図３】
2018159804.tif 000005
【図４】
2018159804.tif 000006
【図５】
2018159804.tif 000007
【図６】
2018159804.tif 000008
【図７】
2018159804.tif 000009
【図８】
2018159804.tif 000010
【図９】
2018159804.tif 000011
【図１０】
2018159804.tif 000012
【図１１】
2018159804.tif 000013
【図１２】
2018159804.tif 000014
【図１３】
2018159804.tif 000015
【図１４】
2018159804.tif 000016